(57)【要約】【課題】燃料電池システムにおいて、燃料電池を構成する部材から生成水に溶出した陽イオンが、燃料電池システム、または、燃料電池の外部に排出されることを抑制する。【解決手段】燃料電池システム１００は、燃料電池１０と、燃料電池１０のアノードから排出されるアノードオフガスに含まれる生成水を分離して除去する気液分離器４０、および、燃料電池１０のカソードから排出されるカソードオフガスに含まれる生成水を分離して除去する気液分離器７０を備える。そして、気液分離器４０内、および、気液分離器７０内には、それぞれ、陽イオン交換樹脂４２、および、陽イオン交換樹脂７２が敷き詰められている。【選択図】図１
2008153060.tif 000002
【特許請求の範囲】
【請求項１】
燃料電池システムであって、
水素と酸素との電気化学反応によって発電する燃料電池と、
前記燃料電池を構成する部材から前記電気化学反応によって生成された生成水に溶出した陽イオンを捕捉する陽イオン捕捉部と、
を備える燃料電池システム。
【請求項２】
請求項１記載の燃料電池システムであって、
前記陽イオンは、白金イオン、パラジウムイオン、ロジウムイオン、ルテニウムイオン、ニッケルイオン、金イオン、イリジウムイオン、オスミウムイオン、タングステンイオンのうちの少なくとも１つを含む、
燃料電池システム。
【請求項３】
請求項１または２記載の燃料電池システムであって、
前記陽イオン捕捉部は、陽イオン吸着剤を備える、
燃料電池システム。
【請求項４】
請求項３記載の燃料電池システムであって、
前記陽イオン吸着剤は、陽イオン交換樹脂からなる、
燃料電池システム。
【請求項５】
請求項３または４記載の燃料電池システムであって、
前記燃料電池から排出される排出ガスが流れる排出配管と、
前記排出配管に配設され、前記排出ガスに含まれる前記生成水を分離する気液分離器と、
を備え、
前記気液分離器は、該気液分離器の内部に、前記陽イオン捕捉部を備える、
燃料電池システム。
【請求項６】
請求項５記載の燃料電池システムであって、
前記気液分離器は、少なくとも前記燃料電池のカソードから排出される排出ガスであるカソードオフガスが流れるカソードオフガス排出配管に配設されている、
燃料電池システム。
【請求項７】
請求項１または２記載の燃料電池システムであって、
前記陽イオン捕捉部は、
前記生成水を貯留する貯留タンクと、
前記貯留タンクの内部に設置された陽極、および、陰極と、
前記陽極と前記陰極との間に所定の電圧を印加する電圧源と、を備え、
前記電圧源によって、前記陽極と前記陰極との間に所定の電圧を印加することによって、前記陰極上に前記陽イオンを捕捉する、
燃料電池システム。
【請求項８】
請求項７記載の燃料電池システムであって、
前記電圧源は、前記燃料電池である、
燃料電池システム。
【請求項９】
請求項７または８記載の燃料電池システムであって、さらに、
前記燃料電池から排出される排出ガスが流れる排出配管と、
前記排出配管に配設され、前記排出ガスに含まれる前記生成水を分離する気液分離器と、
を備え、
前記貯留タンクは、前記気液分離器によって分離された前記生成水を貯留する、
燃料電池システム。
【請求項１０】
請求項９記載の燃料電池システムであって、
前記気液分離器は、少なくとも前記燃料電池のカソードから排出される排出ガスであるカソードオフガスが流れるカソードオフガス排出配管に配設されている、
燃料電池システム。
【請求項１１】
水素と酸素との電気化学反応によって発電する燃料電池であって、
前記燃料電池を構成する部材から前記電気化学反応によって生成された生成水に溶出した陽イオンを捕捉する陽イオン捕捉部を、前記燃料電池の内部に備える、
燃料電池。
【発明の詳細な説明】
【技術分野】
【０００１】
本発明は、燃料電池システム、および、燃料電池に関するものである。
【背景技術】
【０００２】
水素と酸素との電気化学反応によって発電する燃料電池がエネルギ源として注目されている。このような燃料電池には、電解質膜の両面に、それぞれガス拡散電極を接合した膜電極接合体が備えられている。そして、ガス拡散電極には、上記電気化学反応を促進するための触媒層が含まれる。そして、この触媒層には、触媒金属として、白金等の比較的高価な貴金属が含まれる。このため、従来、燃料電池が劣化して使用不能となった場合に、触媒層に含まれる触媒金属（貴金属）を再利用するために、効率よく回収するための技術が提案されている（例えば、下記特許文献１ないし３参照）。
【０００３】
【特許文献１】特開２００６−２０７００３号公報
【特許文献２】特開２００５−２３５５１１号公報
【特許文献３】特開平１１−２８８７３２号公報
【発明の開示】
【発明が解決しようとする課題】
【０００４】
ところで、燃料電池では、発電時に、膜電極接合体に電圧がかかるとともに、水素と酸素との電気化学反応によって、水（生成水）が生成される。このため、この生成水に、膜電極接合体の触媒層から、触媒金属（例えば、白金）が溶出する場合がある。このような現象は、発電時に電位が高くなるカソード側で、特に顕著である。
【０００５】
これは、例えば、白金を一例とすると、下記式（１），（２）に示すように、白金（Ｐｔ）の酸化電位、および、溶出電位が、燃料電池のカソード電位と近いためと考えられる。
【０００６】
Ｐｔの酸化電位：Ｐｔ＋Ｈ2Ｏ→ＰｔＯＨ＋Ｈ+  at ０．９８Ｖ（vs.ＮＨＥ）・・・（１）；
Ｐｔの溶出電位：Ｐｔ→Ｐｔ2+＋２ｅ-  at １．２Ｖ（vs.ＮＨＥ）        ・・・（２）：
なお、ＮＨＥは、標準酸化還元電位を表している。
【０００７】
そして、従来、上記生成水に溶出した白金イオンは、回収されることなく、生成水とともに、燃料電池、さらには、燃料電池を備える燃料電池システムの外部に排出されていた。これは、白金の再利用を阻害していた。先に示した上記特許文献１ないし３に記載された技術では、使用済みの燃料電池から触媒金属（貴金属）を回収ことは可能である。しかし、燃料電池による発電中に、生成水中に溶出した貴金属イオンを回収することについては、考慮されていなかった。これは、上述した膜電極接合体から溶出する白金イオンに限らず、燃料電池を構成する部材から溶出する他の陽イオンについても同様である。
【０００８】
本発明は、上述の課題を解決するためになされたものであり、燃料電池システムにおいて、燃料電池を構成する部材から生成水に溶出した陽イオンが、燃料電池システム、または、燃料電池の外部に排出されることを抑制することを目的とする。
【課題を解決するための手段】
【０００９】
上述の課題の少なくとも一部を解決するため、本発明では、以下の構成を採用した。本発明の燃料電池システムは、水素と酸素との電気化学反応によって発電する燃料電池と、前記燃料電池を構成する部材から前記電気化学反応によって生成された生成水に溶出した陽イオンを捕捉する陽イオン捕捉部と、を備えることを要旨とする。
【００１０】
先に説明したように、燃料電池では、発電時に、燃料電池を構成する各種部材に電圧がかかるとともに、水素と酸素との電気化学反応によって、生成水が生成されるため、この生成水に、燃料電池を構成する各種部材から陽イオンが溶出する場合がある。この陽イオンには、比較的高価な金属イオン、例えば、白金イオン、パラジウムイオン、ロジウムイオン、ルテニウムイオン、ニッケルイオン、金イオン、イリジウムイオン、オスミウムイオン、タングステンイオン等が含まれる。本発明では、陽イオン捕捉部によって、上記生成水に溶出した陽イオンを捕捉することができるので、上記陽イオンが、燃料電池システムの外部に排出されることを抑制することができる。なお、本発明における陽イオンは、プロトン（Ｈ+）を除く。
【００１１】
上記燃料電池システムにおいて、陽イオン捕捉部としては、種々の態様を採ることが可能であるが、例えば、前記陽イオン捕捉部は、陽イオン吸着剤を備えるようにしてもよい。こうすることによって、陽イオン吸着剤を用いて、容易に上記陽イオンを捕捉することができる。
【００１２】
上記燃料電池システムにおいて、前記陽イオン吸着剤は、陽イオン交換樹脂からなるものとしてもよい。こうすることによって、例えば、陽イオン交換樹脂に含まれる水素イオンと、上記生成水に溶出した陽イオンとが置換されて、上記陽イオンを捕捉することができる。
【００１３】
上記陽イオン捕捉部が陽イオン吸着剤を備えるいずれかの燃料電池システムにおいて、前記燃料電池から排出される排出ガスが流れる排出配管と、前記排出配管に配設され、前記排出ガスに含まれる前記生成水を分離する気液分離器と、を備え、前記気液分離器は、該気液分離器の内部に、前記陽イオン捕捉部を備えるようにしてもよい。気液分離器は、通常、燃料電池システムに設置されるものであるため、本発明によって、燃料電池システムに、陽イオンを捕捉するための装置を別個に設けることなく、陽イオン捕捉部を構成することができる。例えば、気液分離器の内壁に、陽イオン吸着剤を塗布したり、気液分離器の内部に、陽イオン吸着剤を敷き詰めたりすることによって、陽イオン捕捉部を構成することができる。
【００１４】
なお、上記燃料電池システムにおいて、前記気液分離器は、少なくとも前記燃料電池のカソードから排出される排出ガスであるカソードオフガスが流れるカソードオフガス排出配管に配設されているようにすることが好ましい。先に説明したように、発電中に電位が高くなる燃料電池のカソード側で、生成水に陽イオンが溶出しやすいからである。
【００１５】
また、本発明の燃料電池システムにおいて、前記陽イオン捕捉部は、前記生成水を貯留する貯留タンクと、前記貯留タンクの内部に設置された陽極、および、陰極と、前記陽極と前記陰極との間に所定の電圧を印加する電圧源と、を備え、前記電圧源によって、前記陽極と前記陰極との間に所定の電圧を印加することによって、前記陰極上に前記陽イオンを捕捉するようにしてもよい。こうすることによって、生成水に溶出した陽イオンに、陰極から電子を付与し、陰極上に原子を析出させることができる。
【００１６】
上記燃料電池システムにおいて、上記電圧源として、専用の電圧源を設けるようにしてもよいが、前記電圧源は、前記燃料電池であるものとしてもよい。こうすることによって、別個に電圧源を設けることなく、燃料電池によって発電された電力を用いて、上記電極に電圧を印加し、電極上に陽イオンを捕捉することができる。
【００１７】
また、上記貯留タンク内で上記陽イオンを捕捉するいずれかの燃料電池システムにおいて、さらに、前記燃料電池から排出される排出ガスが流れる排出配管と、前記排出配管に配設され、前記排出ガスに含まれる前記生成水を分離する気液分離器と、を備え、前記貯留タンクは、前記気液分離器によって分離された前記生成水を貯留するようにしてもよい。こうすることによって、上記貯留タンク内に、上記生成水を容易に貯留することができる。
【００１８】
なお、上記燃料電池システムにおいて、前記気液分離器は、少なくとも前記燃料電池のカソードから排出される排出ガスであるカソードオフガスが流れるカソードオフガス排出配管に配設されているようにすることが好ましい。先に説明したように、発電中に電位が高くなる燃料電池のカソード側で、生成水に陽イオンが溶出しやすいからである。
【００１９】
本発明は、燃料電池の発明として構成することもできる。すなわち、本発明の燃料電池は、水素と酸素との電気化学反応によって発電する燃料電池であって、前記燃料電池を構成する部材から前記電気化学反応によって生成された生成水に溶出した陽イオンを捕捉する陽イオン捕捉部を、前記燃料電池の内部に備えることを要旨とする。こうすることによって、上述した燃料電池システムと同様に、陽イオン捕捉部によって、上記生成水に溶出した陽イオンを捕捉することができるので、上記陽イオンが、燃料電池の外部に排出されることを抑制することができる。なお、陽イオン捕捉部は、例えば、燃料電池の内部の、排出ガスが流れる排出ガス流路の内壁に、陽イオン吸着剤を塗布したり、排出ガス流路内に、陽イオン吸着剤を充填したりすることによって構成することができる。
【発明を実施するための最良の形態】
【００２０】
以下、本発明の実施の形態について、実施例に基づき説明する。
Ａ．第１実施例：
図１は、本発明の第１実施例としての燃料電池システム１００の概略構成を示す説明図である。燃料電池１０は、プロトン伝導性を有する電解質膜を挟んで、アノードと、カソードとを接合した膜電極接合体を備えており、アノードに供給された燃料ガス（水素）とカソードに供給された酸化剤ガス（酸素）との電気化学反応によって発電する。このとき、燃料電池１０では、水素と酸素との電気化学反応によって生成水が生成される。なお、本実施例では、燃料電池１０として、ナフィオン（登録商標）などの固体高分子膜を電解質膜として利用した固体高分子型の燃料電池を用いるものとしたが、これに限らず、種々のタイプを利用可能である。
【００２１】
燃料電池１０のアノードには、水素供給配管２３を介して、高圧水素を貯蔵した水素タンク２０から、燃料ガスとしての水素が供給される。水素タンク２０の代わりに、アルコール、炭化水素、アルデヒドなどを原料とする改質反応によって水素リッチなガスを生成し、アノードに供給するものとしてもよい。
【００２２】
水素タンク２０に貯蔵された高圧水素は、水素タンク２０の出口に設けられたシャットバルブ２１や、減圧弁２２等によって、圧力、および、供給量が調整され、燃料電池１０のアノードに供給される。
【００２３】
燃料電池１０のアノードから排出されたアノードオフガスは、アノードオフガス排出配管３０を介して、気液分離器４０に導入される。気液分離器４０は、アノードオフガスに含まれる生成水を分離して除去する。
【００２４】
気液分離器４０を通過したアノードオフガスは、循環配管３２、水素ポンプ３４を通って、水素供給配管２３に循環する。こうすることによって、アノードオフガスを循環させ、アノードオフガスに含まれる燃料電池１０で未消費の水素を再利用することができる。
【００２５】
また、循環配管３２には、配管３６が分岐して接続されており、配管３６上に配設された排出バルブ３８を開弁することによって、アノードオフガス中の発電に供しない不純物ガス、例えば、カソード側からアノード側に電解質膜を介して透過した窒素の濃度が高くなったときに、このアノードオフガスを燃料電池システム１００の外部に排出することができる。
【００２６】
燃料電池１０のカソードには、空気供給配管５０を介して、エアコンプレッサ５２によって圧縮された圧縮空気が、酸素を含有した酸化剤ガスとして供給される。
【００２７】
燃料電池１０のカソードから排出されたカソードオフガスは、カソードオフガス排出配管６０を介して、気液分離器７０に導入される。気液分離器７０は、カソードオフガスに含まれる生成水を分離して除去する。
【００２８】
なお、先に説明したように、燃料電池１０では、発電時に、燃料電池１０を構成する膜電極接合体等の各種部材に電圧がかかるとともに、水素と酸素との電気化学反応によって、生成水が生成される。このとき、この生成水には、燃料電池１０を構成する各種部材から、陽イオンが溶出する場合がある。特に、膜電極接合体が備える触媒層には、触媒金属とし白金等の貴金属が用いられており、この触媒層等から、白金イオン等の比較的高価な貴金属イオンが溶出する場合がある。このような現象は、膜電極接合体のカソードで生じると考えられる（上記式（１），（２）参照）。また、カソードで生成された生成水は、電解質膜を介して、カソードからアノードに透過する場合もある。
【００２９】
そこで、本実施例では、気液分離器７０、および、気液分離器４０によって、生成水に溶出した貴金属イオン（陽イオン）を捕捉する。このために、本実施例では、気液分離器７０、および、気液分離器４０の内部に、陽イオン交換樹脂７２、および、陽イオン交換樹脂４２が敷き詰められている。陽イオン交換樹脂７２，４２としては、周知の種々の陽イオン交換樹脂を用いることができる。こうすることによって、例えば、陽イオン交換樹脂７２，４２に含まれる水素イオンと、分離された生成水に含まれる陽イオンとが置換されて、生成水に含まれる陽イオンを効率よく捕捉することができる。陽イオンを捕捉した後の生成水は、気液分離器７０，４０の下部に設けられたドレインから、気液分離器７０，４０の外部に排水される。気液分離器７０，４０は、本発明における陽イオン捕捉部に相当する。
【００３０】
以上説明した第１実施例の燃料電池システム１００によれば、気液分離器４０、および、気液分離器７０の内部に、それぞれ、陽イオン交換樹脂４２、および、陽イオン交換樹脂７２が敷き詰められており、これらによって、それぞれ、生成水に含まれる貴金属イオン（陽イオン）を捕捉することができる。したがって、貴金属イオン（陽イオン）が、燃料電池システム１００の外部に排出されることを抑制することができる。この結果、陽イオン交換樹脂４２、および、陽イオン交換樹脂７２から、比較的高価な貴金属を回収することができる。
【００３１】
Ｂ．第２実施例：
図２は、本発明の第２実施例としての燃料電池システム１００Ａの概略構成を示す説明図である。図示するように、この燃料電池システム１００Ａの構成は、第１実施例の燃料電池システム１００の構成とほぼ同じである。ただし、第１実施例における気液分離器４０、および、気液分離器７０の代わりに、気液分離器４０Ａ、および、気液分離器７０Ａが設置されており、気液分離器４０Ａ、および、気液分離器７０Ａの内部には、陽イオン交換樹脂４２、および、陽イオン交換樹脂７２は敷き詰められていない。
【００３２】
また、第２実施例の燃料電池システム１００Ａでは、気液分離器４０Ａ、および、気液分離器７０Ａの下部に、気液分離器４０Ａ、および、気液分離器７０Ａによって、それぞれ分離された生成水を貯留する貯留タンク４４、および、貯留タンク７４が接続されている。そして、本実施例では、貯留タンク４４の内部に、陽極４５ａ、および、陰極４５ｃが設置されており、また、貯留タンク７４の内部に、陽極７５ａ、および、陰極７５ｃが設置されており、後述するように、それぞれ陽極と陰極との間に所定の電圧を印加することによって、貯留タンク４４、および、貯留タンク７４で、内部に貯留された生成水に含まれる陽イオンを捕捉する。陽イオンを捕捉した後の生成水は、貯留タンク４４、および、貯留タンク７４の下部に、それぞれ設けられた排水弁４８、および、排水弁７８を開弁することによって、貯留タンク４４，７４の外部に排水される。
【００３３】
図３は、貯留タンク７４の概略構成、および、捕捉する陽イオンの一例としての白金イオン（Ｐｔ2+）の捕捉の様子を模式的に示す説明図である。なお、図示、および、説明は省略するが、貯留タンク４４も、貯留タンク７４と同じ構造を有している。
【００３４】
図示するように、貯留タンク７４内には、陽極７５ａと、陰極７５ｃとが設置されている。本実施例では、陽極７５ａ、および、陰極７５ｃとして、白金電極を用いるものとした。陽極７５ａ、および、陰極７５ｃとして、他の材料からなる電極を用いるようにしてもよい。そして、これら陽極７５ａと陰極７５ｃとの間には、燃料電池１０を電圧源として、電圧が印加される。こうすることによって、生成水中に溶出した白金イオン（Ｐｔ2+）は、陰極７５ｃに引き寄せられ、陰極７５ｃから電子（ｅ-）を受け取り、白金（Ｐｔ）が陰極７５ｃ上に析出する。つまり、生成水中に溶出した白金イオン（Ｐｔ2+）は、陰極７５ｃに捕捉される。貯留タンク７４、および、貯留タンク４４は、本発明における陽イオン捕捉部に相当する。
【００３５】
以上説明した第２実施例の燃料電池システム１００Ａによれば、気液分離器４０Ａ、および、気液分離器７０Ａによって、それぞれ分離された生成水を貯留する貯留タンク４４、および、貯留タンク７４の内部に、それぞれ、陽極、および、陰極が設置されており、上述したように、陽極と陰極との間に電圧を印加することによって、陰極上に、それぞれ、生成水に含まれる貴金属イオン（陽イオン）を捕捉することができる。したがって、貴金属イオン（陽イオン）が、燃料電池システム１００の外部に排出されることを抑制することができる。
【００３６】
Ｃ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
【００３７】
Ｃ１．変形例１：
上記第１実施例では、気液分離器４０，７０の内部に、陽イオン交換樹脂４２，７２を敷き詰めるものとしたが、本発明は、これに限られない。気液分離器４０，７０の内壁に、陽イオン交換樹脂４２，７２を塗布するようにしてもよい。また、陽イオン交換樹脂４２，７２の代わりに、他の陽イオン吸着剤を用いるようにしてもよい。
【００３８】
Ｃ２．変形例２：
上記第２実施例では、気液分離器４０Ａ，７０Ａによって分離された生成水を、それぞれ貯留タンク４４，７４に貯留するものとしたが、本発明は、これに限られない。気液分離器４０Ａ，７０Ａ以外の他の手段によって、アノードオフガス、および、カソードオフガスに含まれる生成水を回収し、貯留タンク４４，７４に貯留するものとしてもよい。
【００３９】
Ｃ３．変形例３：
上記第１実施例では、生成水に溶出した陽イオンを捕捉するために、気液分離器４０内、および、気液分離器７０内の双方に、陽イオン交換樹脂４２、および、陽イオン交換樹脂７２を、それぞれ敷き詰めるものとしたが、少なくとも気液分離器７０内に陽イオン交換樹脂４２を敷き詰めるようにしてもよい。また、上記第２実施例では、貯留タンク４４、および、貯留タンク７４の双方に、生成水に溶出した陽イオンを捕捉する構成を備えるものとしたが、少なくとも貯留タンク７４に、陽イオンを捕捉する構成を備えるものとしてもよい。先に説明したように、発電中に電位が高くなる燃料電池１０のカソード側で、生成水に陽イオンが溶出しやすいからである。
【００４０】
Ｃ４．変形例４：
上記第２実施例では、貯留タンク４４，７４内に設置された陽極、および、陰極に電圧を印加する電圧源として、燃料電池１０を用いるものとしたが、本発明は、これに限られない。燃料電池システム１００内に、他の電圧源を備えるようにしてもよい。ただし、この電圧源として、燃料電池１０を用いることによって、燃料電池システム１００の構成をコンパクトにすることができる。
【００４１】
Ｃ５．変形例５：
上記第１実施例、および、第２実施例では、燃料電池システム１００において、燃料電池１０の外部に、生成水に溶出した陽イオンを捕捉するための構成を備えるものとしたが、本発明は、これに限られない。生成水に溶出した陽イオンを捕捉するための構成を、燃料電池１０の内部に備えるようにしてもよい。例えば、燃料電池１０が、複数のセルを積層させたスタック構造を有する場合、一般に、燃料電池１０の内部に、アノードオフガスや、カソードオフガスを流すためのマニホールドが形成される。したがって、このマニホールドの内壁に、陽イオン吸着剤を塗布したり、マニホールド内に陽イオン吸着剤を充填したりして、この陽イオン吸着剤によって、生成水に溶出した陽イオンを捕捉するようにしてもよい。こうすることによって、燃料電池１０の劣化時に、燃料電池１０を分解し、マニホールドの内壁から、比較的高価な貴金属を回収することができる。
【００４２】
Ｃ６．変形例６：
上記実施例では、陽イオン捕捉部によって、貴金属イオンを捕捉するものとしたが、本発明は、これに限られない。陽イオン捕捉部によって、比較的高価な金属のイオンである、白金イオン、パラジウムイオン、ロジウムイオン、ルテニウムイオン、ニッケルイオン、金イオン、イリジウムイオン、オスミウムイオン、タングステンイオンのうちの少なくとも１つを含む陽イオンを捕捉するようにすることが好ましい。
【図面の簡単な説明】
【００４３】
【図１】本発明の第１実施例としての燃料電池システム１００の概略構成を示す説明図である。
【図２】本発明の第２実施例としての燃料電池システム１００Ａの概略構成を示す説明図である。
【図３】貯留タンク７４の概略構成および捕捉する陽イオンの一例としての白金イオン（Ｐｔ2+）の捕捉の様子を模式的に示す説明図である。
【符号の説明】
【００４４】
１００，１００Ａ…燃料電池システム
１０…燃料電池
２０…水素タンク
２１…シャットバルブ
２２…減圧弁
２３…水素供給配管
３０…アノードオフガス排出配管
３２…循環配管
３４…水素ポンプ
３６…配管
３８…排出バルブ
４０，４０Ａ…気液分離器
４２…陽イオン交換樹脂
４４…貯留タンク
４５ａ…陽極
４５ｃ…陰極
４８…排水弁
５０…空気供給配管
５２…エアコンプレッサ
６０…カソードオフガス排出配管
７０，７０Ａ…気液分離器
７２…陽イオン交換樹脂
７４…貯留タンク
７５ａ…陽極
７５ｃ…陰極
７８…排水弁
【図１】
2008153060.tif 000003
【図２】
2008153060.tif 000004
【図３】
2008153060.tif 000005